【手続補正書】
【提出日】平成26年5月9日(2014.5.9)
【手続補正１】
【補正対象書類名】明細書
【補正対象項目名】発明の名称
【補正方法】変更
【補正の内容】
【発明の名称】通信装置、その制御方法、および制御プログラム
【手続補正２】
【補正対象書類名】明細書
【補正対象項目名】０００１
【補正方法】変更
【補正の内容】
【０００１】
本発明は、通信装置、その制御方法、および制御プログラムに関する。
【手続補正３】
【補正対象書類名】明細書
【補正対象項目名】０００２
【補正方法】変更
【補正の内容】
【０００２】
一般に、複合機（ＭＦＰ）などの画像形成装置において、ネットワークなどを介して外部機器（ＰＣなど）と通信を行う通信機能が備えられている。以下、画像形成装置に備えられた通信機能を実行する装置を、画像通信装置（又は情報通信装置、若しくは単に通信装置）と呼ぶことにする。
【手続補正４】
【補正対象書類名】明細書
【補正対象項目名】０００８
【補正方法】変更
【補正の内容】
【０００８】
本発明の目的は、送信先の機能に拘わらず、送信先にデータの送信を行うことが可能であるか否かを確認して、当該確認結果をユーザに通知して利便性を向上することのできる通信装置、その制御方法、および制御プログラムを提供することにある。
【手続補正５】
【補正対象書類名】明細書
【補正対象項目名】０００９
【補正方法】変更
【補正の内容】
【０００９】
上記の目的を達成するため、本発明による情報通信装置は、外部装置にデータを送信することが可能な通信装置であって、表示形態が変更され得る前記外部装置のアドレスを含む第１のアドレスリスト部及び表示形態が変更されない前記外部装置のアドレスを含む第２のアドレスリスト部を記憶する記憶手段と、前記外部装置からＳｕｂｓｃｒｉｂｅ要求を受信する第１の受信手段と、前記受信されたＳｕｂｓｃｒｉｂｅ要求を送信した前記外部装置のアドレスが、前記第１のアドレスリスト部に含まれるか否かを判定する判定手段と、前記判定手段によって、前記Ｓｕｂｓｃｒｉｂｅ要求を送信した外部装置のアドレスが前記第１のアドレスリスト部に含まれていないと判定された場合、前記Ｓｕｂｓｃｒｉｂｅ要求を送信した外部装置のアドレスを前記第１のアドレスリスト部か、前記第２のアドレスリスト部のいずれかに記憶するかを問い合わせる問合せ手段と、前記外部装置のアドレスが第２のアドレスリスト部に含まれる場合、前記外部装置からＳｕｂｓｃｒｉｂｅ要求を受信しても、当該外部装置のアドレスの表示形態を変更せず、前記外部装置のアドレスが第１のアドレスリスト部に含まれる場合、当該外部装置からのＳｕｂｓｃｒｉｂｅ要求の受信に応じて当該外部装置のアドレスの表示形態を第１の形態に変更する表示手段と、を有することを特徴とする。
【手続補正６】
【補正対象書類名】明細書
【補正対象項目名】００１０
【補正方法】変更
【補正の内容】
【００１０】
本発明による制御方法は、外部装置にデータを送信することが可能な通信装置の制御方法であって、表示形態が変更され得る前記外部装置のアドレスを含む第１のアドレスリスト部及び表示形態が変更されない前記外部装置のアドレスを含む第２のアドレスリスト部を記憶する記憶ステップと、前記外部装置からＳｕｂｓｃｒｉｂｅ要求を受信する第１の受信ステップと、前記受信されたＳｕｂｓｃｒｉｂｅ要求を送信した前記外部装置のアドレスが、前記第１のアドレスリスト部に含まれるか否かを判定する判定ステップと、前記判定ステップにおいて、前記Ｓｕｂｓｃｒｉｂｅ要求を送信した外部装置のアドレスが前記第１のアドレスリスト部に含まれていないと判定された場合、前記Ｓｕｂｓｃｒｉｂｅ要求を送信した外部装置のアドレスを前記第１のアドレスリスト部か、前記第２のアドレスリスト部のいずれかに記憶するかを問い合わせる問合せステップと、前記外部装置のアドレスが第２のアドレスリスト部に含まれる場合、前記外部装置からＳｕｂｓｃｒｉｂｅ要求を受信しても、当該外部装置のアドレスの表示形態を変更せず、前記外部装置のアドレスが第１のアドレスリスト部に含まれる場合、当該外部装置からのＳｕｂｓｃｒｉｂｅ要求の受信に応じて当該外部装置のアドレスの表示形態を第１の形態に変更する表示ステップと、を有することを特徴とする。
【手続補正７】
【補正対象書類名】明細書
【補正対象項目名】００１１
【補正方法】変更
【補正の内容】
【００１１】
本発明による制御プログラムは、外部装置にデータを送信することが可能な通信装置で用いられる制御プログラムであって、前記通信装置が備えるコンピュータに、表示形態が変更され得る前記外部装置のアドレスを含む第１のアドレスリスト部及び表示形態が変更されない前記外部装置のアドレスを含む第２のアドレスリスト部を記憶する記憶ステップと、前記外部装置からＳｕｂｓｃｒｉｂｅ要求を受信する第１の受信ステップと、前記受信されたＳｕｂｓｃｒｉｂｅ要求を送信した前記外部装置のアドレスが、前記第１のアドレスリスト部に含まれるか否かを判定する判定ステップと、前記判定ステップにおいて、前記Ｓｕｂｓｃｒｉｂｅ要求を送信した外部装置のアドレスが前記第１のアドレスリスト部に含まれていないと判定された場合、前記Ｓｕｂｓｃｒｉｂｅ要求を送信した外部装置のアドレスを前記第１のアドレスリスト部か、前記第２のアドレスリスト部のいずれかに記憶するかを問い合わせる問合せステップと、前記外部装置のアドレスが第２のアドレスリスト部に含まれる場合、前記外部装置からＳｕｂｓｃｒｉｂｅ要求を受信しても、当該外部装置のアドレスの表示形態を変更せず、前記外部装置のアドレスが第１のアドレスリスト部に含まれる場合、当該外部装置からのＳｕｂｓｃｒｉｂｅ要求の受信に応じて当該外部装置のアドレスの表示形態を第１の形態に変更する表示ステップと、を実行させることを特徴とする。
【手続補正８】
【補正対象書類名】特許請求の範囲
【補正対象項目名】全文
【補正方法】変更
【補正の内容】
【特許請求の範囲】
【請求項１】
外部装置にデータを送信することが可能な通信装置であって、
表示形態が変更され得る前記外部装置のアドレスを含む第１のアドレスリスト部及び表示形態が変更されない前記外部装置のアドレスを含む第２のアドレスリスト部を記憶する記憶手段と、
前記外部装置からＳｕｂｓｃｒｉｂｅ要求を受信する第１の受信手段と、
前記受信されたＳｕｂｓｃｒｉｂｅ要求を送信した前記外部装置のアドレスが、前記第１のアドレスリスト部に含まれるか否かを判定する判定手段と、
前記判定手段によって、前記Ｓｕｂｓｃｒｉｂｅ要求を送信した外部装置のアドレスが前記第１のアドレスリスト部に含まれていないと判定された場合、前記Ｓｕｂｓｃｒｉｂｅ要求を送信した外部装置のアドレスを前記第１のアドレスリスト部か、前記第２のアドレスリスト部のいずれかに記憶するかを問い合わせる問合せ手段と、
前記外部装置のアドレスが第２のアドレスリスト部に含まれる場合、前記外部装置からＳｕｂｓｃｒｉｂｅ要求を受信しても、当該外部装置のアドレスの表示形態を変更せず、前記外部装置のアドレスが第１のアドレスリスト部に含まれる場合、当該外部装置からのＳｕｂｓｃｒｉｂｅ要求の受信に応じて当該外部装置のアドレスの表示形態を第１の形態に変更する表示手段と、
を有することを特徴とする通信装置。
【請求項２】
他の外部装置からＵｎｓｕｂｓｃｒｉｂｅ要求を受信する第２の受信手段を更に有する通信装置であって、前記表示手段は、前記他の外部装置のアドレスが第１のアドレスリスト部に含まれる場合、当該外部装置からのＵｎｓｕｂｓｃｒｉｂｅ要求の受信に応じて当該外部装置のアドレスの表示形態を第２の形態に変更することを特徴とする請求項１記載の通信装置。
【請求項３】
前記第１の表示形態、前記第２の表示形態は、それぞれ強調表示、非強調表示であることを特徴とする請求項２記載の通信装置。
【請求項４】
外部装置にデータを送信することが可能な通信装置の制御方法であって、
表示形態が変更され得る前記外部装置のアドレスを含む第１のアドレスリスト部及び表示形態が変更されない前記外部装置のアドレスを含む第２のアドレスリスト部を記憶する記憶ステップと、
前記外部装置からＳｕｂｓｃｒｉｂｅ要求を受信する第１の受信ステップと、
前記受信されたＳｕｂｓｃｒｉｂｅ要求を送信した前記外部装置のアドレスが、前記第１のアドレスリスト部に含まれるか否かを判定する判定ステップと、
前記判定ステップにおいて、前記Ｓｕｂｓｃｒｉｂｅ要求を送信した外部装置のアドレスが前記第１のアドレスリスト部に含まれていないと判定された場合、前記Ｓｕｂｓｃｒｉｂｅ要求を送信した外部装置のアドレスを前記第１のアドレスリスト部か、前記第２のアドレスリスト部のいずれかに記憶するかを問い合わせる問合せステップと、
前記外部装置のアドレスが第２のアドレスリスト部に含まれる場合、前記外部装置からＳｕｂｓｃｒｉｂｅ要求を受信しても、当該外部装置のアドレスの表示形態を変更せず、前記外部装置のアドレスが第１のアドレスリスト部に含まれる場合、当該外部装置からのＳｕｂｓｃｒｉｂｅ要求の受信に応じて当該外部装置のアドレスの表示形態を第１の形態に変更する表示ステップと、
を有することを特徴とする制御方法。
【請求項５】
外部装置にデータを送信することが可能な通信装置の制御方法をコンピュータに実行させるための制御プログラムであって、
前記通信装置の制御方法は、
表示形態が変更され得る前記外部装置のアドレスを含む第１のアドレスリスト部及び表示形態が変更されない前記外部装置のアドレスを含む第２のアドレスリスト部を記憶する記憶ステップと、
前記外部装置からＳｕｂｓｃｒｉｂｅ要求を受信する第１の受信ステップと、
前記受信されたＳｕｂｓｃｒｉｂｅ要求を送信した前記外部装置のアドレスが、前記第１のアドレスリスト部に含まれるか否かを判定する判定ステップと、
前記判定ステップにおいて、前記Ｓｕｂｓｃｒｉｂｅ要求を送信した外部装置のアドレスが前記第１のアドレスリスト部に含まれていないと判定された場合、前記Ｓｕｂｓｃｒｉｂｅ要求を送信した外部装置のアドレスを前記第１のアドレスリスト部か、前記第２のアドレスリスト部のいずれかに記憶するかを問い合わせる問合せステップと、
前記外部装置のアドレスが第２のアドレスリスト部に含まれる場合、前記外部装置からＳｕｂｓｃｒｉｂｅ要求を受信しても、当該外部装置のアドレスの表示形態を変更せず、前記外部装置のアドレスが第１のアドレスリスト部に含まれる場合、当該外部装置からのＳｕｂｓｃｒｉｂｅ要求の受信に応じて当該外部装置のアドレスの表示形態を第１の形態に変更する表示ステップと、
を有することを特徴とする制御プログラム。